(57)【要約】【課題】表面材がケースから外れたりめくれたりすることにより、放熱板が外部にむき出しとなってしまうため、高温となった放熱板が直接人体に触れてしまうということ。【解決手段】発熱体１と、本体２と、コントローラ３と、ケース４と、表面材５と、電力制御素子６と、制御基板７と、放熱板８と、カバー９とを備え、表面材５がケース４から外れたりめくれたりした場合であっても、カバー９に覆われていることで、放熱板８が外部にむき出しにならないようになるので、高温となった放熱板８が直接人体に触れてしまう恐れのない面状採暖具となる。【選択図】  図１
2007178022.tif 000002
【特許請求の範囲】
【請求項１】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材と前記放熱板との間に前記放熱板全体を覆うように取り付けられたカバーとを備えた面状採暖具。
【請求項２】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材の端面を押さえるように前記ケース上部に取り付けられたカバーとを備えた面状採暖具。
【請求項３】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材の端面を差し込んで固定するように前記ケース上部に設けられたケース凹部とを備えた面状採暖具。
【請求項４】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材と前記ケースとを貼り合わせる接着手段とを備えた面状採暖具。
【発明の詳細な説明】
【技術分野】
【０００１】
本発明は面状採暖具に関するものである。
【背景技術】
【０００２】
従来、この種の面状採暖具は、発熱体を内蔵する本体と、発熱体の温度制御を行うコントローラを有し、発熱体から発する熱を利用して局部暖房に使用している（例えば特許文献１参照）。
【０００３】
図５は従来の面状採暖具を示すものである。図５に示すように、発熱体２１と、本体２２と、コントローラ２３と、ケース２４と、表面材２５と、電力制御素子２６と、制御基板２７と、放熱板２８から構成されている。
【特許文献１】特開平８−２３３２９８号公報
【発明の開示】
【発明が解決しようとする課題】
【０００４】
しかしながら、前記従来の構成では、電力制御素子２６から発生する熱がケース２４内部にこもらないように、電力制御素子２６に接続された放熱板２８の一部がケース２４の開口部を介してケース２４と表面材２５との間に取り付けられているため、表面材２５がケース２４から外れたりめくれたりした場合には、放熱板２８が外部にむき出しとなり、高温となった放熱板２８が直接人体に触れてしまう恐れがあるという課題を有していた。
【０００５】
本発明は前記従来の課題を解決するもので、表面材２５がケース２４から外れたりめくれたりすることにより、高温となった放熱板２８が直接人体に触れてしまう恐れのない面状採暖具を提供することを目的とする。
【課題を解決するための手段】
【０００６】
前記従来の課題を解決するために、本発明の面状採暖具は、表面材と放熱板との間に放熱板全体を覆うカバーを設ける構成にしたものである。
【０００７】
これによって、表面材がケースから外れたりめくれたりした場合であっても、カバーに覆われていることで、放熱板が外部にむき出しにならないようにできるため、高温となった放熱板が直接人体に触れてしまわないようにすることが可能となる。
【０００８】
また、本発明の面状採暖具は、ケース上部に表面材の端面を押さえるカバーを設ける構成にしたものである。
【０００９】
これによって、表面材の端面がカバーで押さえられることで、表面材がケースから外れたりめくれたりすることがなく、放熱板が外部にむき出しにならないようにできるため、高温となった放熱板が直接人体に触れてしまわないようにすることが可能となる。
【００１０】
また、本発明の面状採暖具は、ケース上部に表面材の端面を差し込んで固定するケース凹部を設ける構成にしたものである。
【００１１】
これによって、表面材の端面がケース凹部で固定されることで、表面材がケースから外れたりめくれたりすることがなく、放熱板が外部にむき出しにならないようにできるため、高温となった放熱板が直接人体に触れてしまわないようにすることが可能となる。
【００１２】
また、本発明の面状採暖具は、表面材とケースとを貼り合わせる接着手段を設ける構成にしたものである。
【００１３】
これによって、表面材とケースとが貼り合わさることで、表面材がケースから外れたりめくれたりすることがなく、放熱板が外部にむき出しにならないようにできるため、高温となった放熱板が直接人体に触れてしまわないようにすることが可能となる。
【発明の効果】
【００１４】
本発明の面状採暖具は、表面材と放熱板との間に放熱板全体を覆うカバーを設けることにより、表面材がケースから外れたりめくれたりした場合であっても、放熱板が外部にむき出しにならないようにすることで、高温となった放熱板が直接人体に触れてしまわないようにすることができる。
【００１５】
また、本発明の面状採暖具は、ケース上部に表面材の端面を押さえるカバーを設けることにより、表面材がケースから外れたりめくれたりすることがなく、放熱板が外部にむき出しにならないようにすることで、高温となった放熱板が直接人体に触れてしまわないようにすることができる。
【００１６】
また、本発明の面状採暖具は、ケース上部に表面材の端面を差し込んで固定するケース凹部を設けることにより、表面材がケースから外れたりめくれたりすることがなく、放熱板が外部にむき出しにならないようにすることで、高温となった放熱板が直接人体に触れてしまわないようにすることができる。
【００１７】
また、本発明の面状採暖具は、表面材とケースとを貼り合わせる接着手段を設けることにより、表面材がケースから外れたりめくれたりすることがなく、放熱板が外部にむき出しにならないようにすることで、高温となった放熱板が直接人体に触れてしまわないようにすることができる。
【発明を実施するための最良の形態】
【００１８】
第１の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材と前記放熱板との間に前記放熱板全体を覆うように取り付けられたカバーとを備えた構成とすることにより、前記表面材が前記ケースから外れたりめくれたりした場合であっても、前記放熱板全体が前記カバーに覆われていることで、前記放熱板が外部にむき出しにならないようにすることが可能となり、高温となった前記放熱板が直接人体に触れてしまわないようにすることができる。
【００１９】
第２の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材の端面を押さえるように前記ケース上部に取り付けられたカバーとを備えた構成とすることにより、前記表面材の端面が前記カバーで押さえられることで、前記表面材が前記ケースから外れたりめくれたりすることがなく、前記放熱板が外部にむき出しにならないようにすることが
可能となり、高温となった前記放熱板が直接人体に触れてしまわないようにすることができる。
【００２０】
第３の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材の端面を差し込んで固定するように前記ケース上部に設けられたケース凹部とを備えた構成とすることにより、前記表面材の端面が前記ケース凹部で固定されることで、前記表面材が前記ケースから外れたりめくれたりすることがなく、前記放熱板が外部にむき出しにならないようにすることが可能となり、高温となった前記放熱板が直接人体に触れてしまわないようにすることができる。
第４の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記表面材と前記ケースとを貼り合わせる接着手段とを備えた構成とすることにより、前記表面材が前記ケースと貼り合わされることで、前記表面材が前記ケースから外れたりめくれたりすることがなく、前記放熱板が外部にむき出しにならないようにすることが可能となり、高温となった前記放熱板が直接人体に触れてしまわないようにすることができる。  以下本発明の実施の形態について、図面を参照しながら説明する。なお、本実施の形態によって本発明が限定されるものではない。
【００２１】
（実施の形態１）
図１は本発明の実施の形態１における面状採暖具の構成図である。
【００２２】
図１において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、９は表面材５と放熱板８との間に放熱板８全体を覆うように取り付けられたカバーである。  
【００２３】
以上のように構成された面状採暖具について以下その動作、作用を説明する。
【００２４】
まず、表面材５になんらかの外力が加わり、表面材５がケース４から外れたりめくれたりしようとしたとする。そうすると表面材５はケース４表面には固定されていないため、そのまま表面材５がケース４から外れたりめくれたりしてしまう。その結果、放熱板８を含めケース4がむき出しの状態となってしまうが、カバー９が放熱板８の全体を覆っているため、放熱板８が直接外部にむき出しにはなることはなくなる。このようにカバー９が放熱板８全体を覆うことで、高温となった放熱板８が直接人体に触れてしまわないようにすることができる。
【００２５】
以上のように、本実施の形態においては、発熱体１と、発熱体１を内蔵する本体２と、発熱体１の温度制御を行うコントローラ３と、コントローラ３の外郭を成し、本体２に取
り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、表面材５と放熱板８との間に放熱板８全体を覆うように取り付けられたカバー９とを備えた構成とすることにより、表面材８がケース４から外れたりめくれたりした場合であっても、放熱板８全体がカバー９に覆われていることで、放熱板８が外部にむき出しにならないようにすることが可能となるため、高温となった放熱板８が直接人体に触れてしまう恐れのない面状採暖具とすることができる。
【００２６】
なお、本実施の形態においては、表面材５は本体２と一体とし、また制御基板７の数は１つとしたが、表面材５と本体２が独立している場合、及び制御基板７の数が２つ以上に分割されている場合においても同様である。
【００２７】
（実施の形態２）
図２は本発明の実施の形態２における面状採暖具の構成図である。実施の形態１と同一部分は同一番号を付記して、説明する。
【００２８】
図２において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、１０は表面材５の端面を押さえるようにケース４上部に取り付けられたカバーである。  
【００２９】
以上のように構成された面状採暖具について以下その動作、作用を説明する。
【００３０】
まず、表面材５になんらかの外力が加わり、表面材５がケース４から外れたりめくれたりしようとしたとする。しかし表面材５の端面はカバー１０により押さえられているため、表面材５はカバー１０で押さえられている場所から動かず、ケース４から外れたりめくれたりない。このように放熱板８が表面材５に覆われた状態を維持し、放熱板８が外部にむき出しにならないようにすることで、高温となった放熱板８が直接人体に触れてしまわないようにすることができる。
【００３１】
以上のように、本実施の形態においては、発熱体１と、発熱体１を内蔵する本体２と、発熱体１の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、表面材５の端面を押さえるようにケース４上部に取り付けられたカバー１０とを備えた構成とすることにより、表面材５の端面がカバー１０で押さえられることで、表面材５がケース４から外れたりめくれたりすることがなく、放熱板８が外部にむき出しにならないようにすることが可能となるため、高温となった放熱板８が直接人体に触れてしまう恐れのない面状採暖具とすることができる。
【００３２】
なお、本実施の形態においては、表面材５は本体２と一体とし、また制御基板７の数は１つとしたが、表面材５と本体２が独立している場合、及び制御基板７の数が２つ以上に分割されている場合においても同様である。
【００３３】
（実施の形態３）
図３は本発明の第３の実施の形態における面状採暖具の構成図である。実施の形態１と同一部分は同一番号を付記して、説明する。
【００３４】
図３において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、１１は表面材５の端面を差し込んで固定するようにケース４上部に設けられたケース凹部である。  
【００３５】
以上のように構成された面状採暖具について以下その動作、作用を説明する。
【００３６】
まず、表面材５になんらかの外力が加わり、表面材５がケース４から外れたりめくれたりしようとしたとする。しかし表面材５の端面はケース凹部１１により固定されているため、表面材５はケース凹部１１で固定されている場所から動かず、ケース４から外れたりめくれたりない。このように放熱板８が表面材５に覆われた状態を維持し、放熱板８が外部にむき出しにならないようにすることで、高温となった放熱板８が直接人体に触れてしまわないようにすることができる。
【００３７】
以上のように、本実施の形態においては、発熱体１と、発熱体１を内蔵する本体２と、発熱体１の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、表面材５の端面を差し込んで固定するようにケース４上部に設けられたケース凹部１１とを備えた構成とすることにより、表面材５の端面がケース凹部１１で固定されることで、表面材５がケース４から外れたりめくれたりすることがなく、放熱板８が外部にむき出しにならないようにすることが可能となるため、高温となった放熱板８が直接人体に触れてしまう恐れのない面状採暖具とすることができる。
【００３８】
なお、本実施の形態においては、表面材５は本体２と一体とし、また制御基板７の数は１つとしたが、表面材５と本体２が独立している場合、及び制御基板７の数が２つ以上に分割されている場合においても同様である。
【００３９】
（実施の形態４）
図４は本発明の第４の実施の形態における面状採暖具の構成図である。実施の形態１と同一部分は同一番号を付記して、説明する。
【００４０】
図４において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、１２は表面材５とケース4とを貼り合わせる接着手段である。  
【００４１】
以上のように構成された面状採暖具について以下その動作、作用を説明する。
【００４２】
まず、表面材５になんらかの外力が加わり、表面材５がケース４から外れたりめくれたりしようとしたとする。しかし表面材５はケース４に貼り合わされているため、表面材５はケース４に貼り合わされている場所から動かず、ケース４から外れたりめくれたりない。このように放熱板８が表面材５に覆われた状態を維持し、放熱板８が外部にむき出しにならないようにすることで、高温となった放熱板８が直接人体に触れてしまわないようにすることができる。
【００４３】
以上のように、本実施の形態においては、発熱体１と、発熱体１を内蔵する本体２と、発熱体１の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、表面材５とケース４とを貼り合わせる接着手段１２とを備えた構成とすることにより、表面材５がケース4と接着手段１２で貼り合わされることで、表面材５がケース４から外れたりめくれたりすることがなく、放熱板８が外部にむき出しにならないようにすることが可能となるため、高温となった放熱板８が直接人体に触れてしまう恐れのない面状採暖具とすることができる。
【００４４】
なお、本実施の形態においては、表面材５は本体２と一体とし、また制御基板７の数は１つとしたが、表面材５と本体２が独立している場合、及び制御基板７の数が２つ以上に分割されている場合においても同様である。
【産業上の利用可能性】
【００４５】
以上のように、本発明にかかる面状採暖具は、表面材がケースから外れたりめくれたりした場合であっても、放熱板全体がカバーに覆われていること、または表面材がケースから外れたりめくれたりしないようにすることにより、放熱板が外部にむき出しにならないようにすることが可能となるので、一部をケース外部に設けることで、ケース外部に熱を放出する構成となっている放熱板を有する他の機器の安全性の向上等の用途にも適用できる。
【図面の簡単な説明】
【００４６】
【図１】本発明の実施の形態１の面状採暖具の構成図
【図２】本発明の実施の形態２の面状採暖具の構成図
【図３】本発明の実施の形態３の面状採暖具の構成図
【図４】本発明の実施の形態４の面状採暖具の構成図
【図５】従来の面状採暖具の構成図
【符号の説明】
【００４７】
１  発熱体
２  本体
３  コントローラ
４  ケース
５  表面材
６  電力制御素子
７  制御基板
８  放熱板
９  カバー
１０  カバー
１１  ケース凹部
１２  接着手段
【図１】
2007178022.tif 000003
【図２】
2007178022.tif 000004
【図３】
2007178022.tif 000005
【図４】
2007178022.tif 000006
【図５】
2007178022.tif 000007